(57)【要約】      （修正有）【課題】簡単な構成で安価ながら、取り扱いが容易で、建家との間での隙間を生じさせないように組み立てることができる作業用テントを提供する。【解決手段】水平連結ロッドを介して連結分離自在に連結した一対の天幕保持部材１，１に天幕３を保持する。天幕保持部材１を、対地支持用ロッド６の建家４側の端部に連結分離可能に連結した第１の建家側支柱用ロッド７に建家側支柱用ロッド８を、対地支持用ロッド６の建家４から遠い前面側の端部に前面側支柱用ロッド９を、そして、第２の建家側支柱用ロッド８と前面側支柱用ロッド９の上端どうしを、それぞれ建家４の壁面と平行な水平方向の軸芯周りで揺動可能に連結し、対地支持用ロッド６と前面側支柱用ロッド９とにわたって引張りスプリング１７を取り付け、その引張り力により、第２の建家側支柱用ロッド８の上端側を建家４の壁面側に変位させる押圧力を付与する。【選択図】図１
2013189787.tif 000002
【特許請求の範囲】
【請求項１】
一対の天幕保持部材を水平連結ロッドを介して連結分離自在に連結して、建家に近接して設置された屋外機器を覆うとともに前記屋外機器に対するメンテナンス空間を形成するように前記天幕保持部材に天幕を保持させる作業用テントであって、
前記天幕保持部材が、
対地支持する対地支持用ロッドと、
前記対地支持用ロッドの前記建家側の端部に対して枢支連結部を介して前記建家の壁面と平行な水平方向の軸芯周りで揺動可能に連結した建家側支柱用ロッドと、
前記対地支持用ロッドの前記建家から遠い前面側の端部に対して枢支連結部を介して前記建家の壁面と平行な水平方向の軸芯周りで揺動可能に取り付けた前面側支柱用ロッドと、
前記前面側支柱用ロッドと前記対地支持用ロッドの上端側どうしが枢支連結部を介して前記建家の壁面と平行な水平方向の軸芯周りで揺動可能に連結され、かつ、前記前面側支柱用ロッドと前記対地支持用ロッドまたはそれと一体の部材との間に介装されて前記建家側支柱用ロッドの上端側を前記建家の壁面側に変位させる押圧力を付与する弾性材と、
前記枢支連結部に備えられて前記建家側支柱用ロッドの上端側の前記建家の壁面側への変位を許容する融通と、
から構成されたものであることを特徴とする作業用テント。
【請求項２】
前記建家側支柱用ロッドが連結分離自在に連結された第１および第２の建家側支柱用ロッドから成り、下方側の前記第１の建家側支柱用ロッドが対地支持用ロッドの前記建家側の端部に枢支連結部を介して前記建家の壁面と平行な水平方向の軸芯周りで揺動可能に連結されたものである請求項１に記載の作業用テント。
【請求項３】
前記建家側支柱用ロッドが枢支連結部を介して建家の壁面と平行な水平方向の軸芯周りで揺動可能に連結された第１および第２の建家側支柱用ロッドから成り、下方側の前記第１の建家側支柱用ロッドが対地支持用ロッドの前記建家側の端部に連結分離自在に連結されたものである請求項１に記載の作業用テント。
【請求項４】
前記前面側支柱用ロッドが連結分離自在に連結された第１および第２の前面側支柱用ロッドから成り、下方側の前記第１の前面側支柱用ロッドが対地支持用ロッドの前記建家から遠い前面側の端部に枢支連結部を介して前記建家の壁面と平行な水平方向の軸芯周りで揺動可能に連結されたものである請求項１〜３に記載の作業用テント。
【請求項５】
前記前面側支柱用ロッドが枢支連結部を介して建家の壁面と平行な水平方向の軸芯周りで揺動可能に連結された第１および第２の前面側支柱用ロッドから成り、下方側の前記第１の前面側支柱用ロッドが対地支持用ロッドの前記建家から遠い前面側の端部に連結分離自在に連結されたものである請求項１〜３に記載の作業用テント。
【請求項６】
前記融通が、枢支連結部の連結軸と連結穴との隙間によって形成されたものである請求項１〜５に記載の作業用テント。
【請求項７】
前記融通が、前面側支柱用ロッドと建家側支柱用ロッドの上端側どうしを連結する枢支連結部に設けた長穴によって形成されたものである請求項１〜５に記載の作業用テント。
【請求項８】
前記天幕に開閉可能な排気口を付設してある請求項１〜７のいずれかに記載の作業用テント。
【請求項９】
前記天幕に、ファスナーまたはボタンによって開閉可能な出入口を設けてある請求項１〜８のいずれかに記載の作業用テント。
【請求項１０】
前記屋外機器が家庭用燃料電池である請求項１〜９のいずれかに記載の作業用テント。
【請求項１１】
前記メンテナンス空間内に灯光器、ＣＯ警報機、可燃ガス警報機のうちの少なくともひとつを備えてある請求項１〜１０のいずれかに記載の作業用テント。
【発明の詳細な説明】
【技術分野】
【０００１】
本発明は、一対の天幕保持部材を水平連結ロッドを介して連結分離自在に連結して、建家に近接して設置された屋外機器を覆うとともにその屋外機器に対するメンテナンス空間を形成するように天幕保持部材に天幕を保持させる作業用テントに関する。
【背景技術】
【０００２】
屋外機器のメンテナンスでは、外装パネルを開いてパッケージ内の電子基盤や電子機器などのメンテナンスを行うために、雨風や塵埃が入り込まないようにする必要があり、上述のように、屋外機器を覆うとともにその屋外機器に対するメンテナンス空間を形成するように天幕を取り付けなければならない。
【０００３】
この種のものとして、従来、次のようなものがあった。
折畳み・展開可能な骨組と、その骨組を展開して組立てた後に被着するシートとを具備し、骨組により、屋根部と前側左右の脚部とからなる枠体を構築するようにしている。
枠体には、前側左右の脚部だけが備えられ、後側脚部は具備されていない。骨組の屋根部の後側縁部を構成する折畳式屋根部材に吸盤がＸ、Ｙ方向に首振り自在に取り付けられている。吸盤を固定物であるアクセス装置のフラットな天板に吸着して固定するようになっている。
また、屋根部の左右縁部を伸縮式屋根部材で構成し、その伸縮式屋根部材を、固定管内に伸縮管を進退自在に挿通し、ノブ式伸縮機構により伸縮管を進退可能としている。
（特許文献１参照）。
【先行技術文献】
【特許文献】
【０００４】
【特許文献１】特開２００２−２３５４６０号公報
【発明の概要】
【発明が解決しようとする課題】
【０００５】
しかしながら、従来例の場合、折畳式屋根部材を前側左右の脚部によって片持ち支持させ、既存物を後側脚部として利用して設営できるように構成されている。
このため、屋外機器のメンテナンス用に使用する場合、既存物としては屋外機器を利用することになる。ところが、屋外機器自体がメンテナンス対象であり、屋外機器の背面側から点検する場合には、屋外機器を移動させる必要がある。そのような場合、吸盤が首振り自在に取り付けられていても、折畳式屋根部材に対する支持が不安定になるために固定位置を調整するといった操作をしなければならず、極めて不便で、作業効率が低下する不都合があった。
また、屋根部の左右縁部を伸縮式屋根部材で構成し、建家と屋根部との間に隙間が生じてもその伸張によって対応できるようにしているが、二重管による構成など、構成が複雑化するとともに高強度を求められて高価になる不都合があった。
【０００６】
また、建家とテントの屋根部との間に隙間が生じないように、天幕の端を建家の雨樋や窓格子や庭木などに紐などでくくりつけて固定している場合もあったが、顧客のものを利用するのは失礼でもあるうえに、強度的に弱くて雨樋や窓格子や庭木などが破損するといった損害を蒙らせる虞もあった。
【０００７】
本発明は、このような事情に鑑みてなされたものであって、簡単な構成で安価でありながら、取り扱いが容易で、かつ、建家との間での隙間を生じさせないように組み立てることができる作業用テントを提供することを目的とする。
【課題を解決するための手段】
【０００８】
請求項１に係る発明は、上述のような目的を達成するために、
一対の天幕保持部材を水平連結ロッドを介して連結分離自在に連結して、建家に近接して設置された屋外機器を覆うとともに前記屋外機器に対するメンテナンス空間を形成するように前記天幕保持部材に天幕を保持させる作業用テントであって、
前記天幕保持部材が、
対地支持する対地支持用ロッドと、
前記対地支持用ロッドの前記建家側の端部に対して枢支連結部を介して前記建家の壁面と平行な水平方向の軸芯周りで揺動可能に連結した建家側支柱用ロッドと、
前記対地支持用ロッドの前記建家から遠い前面側の端部に対して枢支連結部を介して前記建家の壁面と平行な水平方向の軸芯周りで揺動可能に取り付けた前面側支柱用ロッドと、
前記前面側支柱用ロッドと前記対地支持用ロッドの上端側どうしが枢支連結部を介して前記建家の壁面と平行な水平方向の軸芯周りで揺動可能に連結され、かつ、前記前面側支柱用ロッドと前記対地支持用ロッドまたはそれと一体の部材との間に介装されて前記建家側支柱用ロッドの上端側を前記建家の壁面側に変位させる押圧力を付与する弾性材と、
前記枢支連結部に備えられて前記建家側支柱用ロッドの上端側の前記建家の壁面側への変位を許容する融通と、
から構成されたものであることを特徴としている。
【０００９】
（作用・効果）
請求項１に係る発明の作業用テントの構成によれば、天幕保持部材どうしを水平連結ロッドで連結し、対地支持用ロッドを対地支持させ、前面側支柱用ロッドと対地支持用ロッドまたはそれと一体の部材との間に弾性材を介装して押圧力を付与することにより、融通によって前面側支柱用ロッドを介して建家側支柱用ロッドの上端側を建家の壁面側に変位させ、それに保持させた天幕を建家の壁面に押しつけることができる。
したがって、枢支連結部に融通を備えるとともに弾性材を介装するだけでありながら、建家の壁面と天幕との間での隙間を無くすことができ、簡単な構成で安価でありながら、取り扱いが容易で、かつ、建家との間での隙間を生じさせないように組み立てることができる作業用テントを提供できる。
【００１０】
請求項２に係る発明の作業用テントは、
前記建家側支柱用ロッドが連結分離自在に連結された第１および第２の建家側支柱用ロッドから成り、下方側の前記第１の建家側支柱用ロッドが対地支持用ロッドの前記建家側の端部に枢支連結部を介して前記建家の壁面と平行な水平方向の軸芯周りで揺動可能に連結されたものである請求項１に記載の作業用テント。
【００１１】
（作用・効果）
請求項２に係る発明の作業用テントの構成によれば、通常の場合に長尺となる建家側支柱用ロッドを第１および第２の建家側支柱用ロッドで構成し、両者を連結することで建家側支柱用ロッドと対地支持用ロッドとを連結でき、また、両者の連結を解除して分離することにより第１の建家側支柱用ロッドは対地支持用ロッド側に、そして、第２の建家側支柱用ロッドは前面側支柱用ロッド側にそれぞれ折り畳むことができる。
したがって、テントを構成する多数のロッドがバラバラになることを回避できるとともに組み立て工数を減らすことができ、取り扱いを一層容易にできる。
【００１２】
請求項３に係る発明の作業用テントは、
前記建家側支柱用ロッドが枢支連結部を介して建家の壁面と平行な水平方向の軸芯周りで揺動可能に連結された第１および第２の建家側支柱用ロッドから成り、下方側の前記第１の建家側支柱用ロッドが対地支持用ロッドの前記建家側の端部に連結分離自在に連結されたものである請求項１に記載の作業用テント。
【００１３】
（作用・効果）
請求項３に係る発明の作業用テントの構成によれば、通常の場合に長尺となる建家側支柱用ロッドを第１および第２の建家側支柱用ロッドで構成し、第１の建家側支柱用ロッドを対地支持用ロッドに連結でき、また、その連結を解除して分離することにより第１の建家側支柱用ロッドを第２の建家側支柱用ロッド側に折り畳み、更に、それらを前面側支柱用ロッド側に折り畳むことができる。
したがって、テントを構成する多数のロッドがバラバラになることを回避できるとともに組み立て工数を減らすことができ、取り扱いを一層容易にできる。
【００１４】
請求項４に係る発明の作業用テントは、
前記前面側支柱用ロッドが連結分離自在に連結された第１および第２の前面側支柱用ロッドから成り、下方側の前記第１の前面側支柱用ロッドが対地支持用ロッドの前記建家から遠い前面側の端部に枢支連結部を介して前記建家の壁面と平行な水平方向の軸芯周りで揺動可能に連結されたものである請求項１〜３に記載の作業用テント。
【００１５】
（作用・効果）
請求項４に係る発明の作業用テントの構成によれば、通常の場合に長尺となる前面側支柱用ロッドを第１および第２の前面側支柱用ロッドで構成し、両者を連結することで前面側支柱用ロッドと対地支持用ロッドとを連結でき、また、両者の連結を解除して分離することにより第１の前面側支柱用ロッドは対地支持用ロッド側に、そして、第２の前面側支柱用ロッドは建家側支柱用ロッド側にそれぞれ折り畳むことができる。
したがって、テントを構成する多数のロッドがバラバラになることを回避できるとともに組み立て工数を減らすことができ、取り扱いを一層容易にできる。
【００１６】
請求項５に係る発明の作業用テントは、
前記前面側支柱用ロッドが枢支連結部を介して建家の壁面と平行な水平方向の軸芯周りで揺動可能に連結された第１および第２の前面側支柱用ロッドから成り、下方側の前記第１の前面側支柱用ロッドが対地支持用ロッドの前記建家から遠い前面側の端部に連結分離自在に連結されたものである請求項１〜３に記載の作業用テント。
【００１７】
（作用・効果）
請求項５に係る発明の作業用テントの構成によれば、通常の場合に長尺となる前面側支柱用ロッドを第１および第２の前面側支柱用ロッドで構成し、第１の前面側支柱用ロッドを対地支持用ロッドに連結でき、また、その連結を解除して分離することにより第１の前面側支柱用ロッドを第２の前面側支柱用ロッド側に折り畳み、更に、それらを建家側支柱用ロッド側に折り畳むことができる。
したがって、テントを構成する多数のロッドがバラバラになることを回避できるとともに組み立て工数を減らすことができ、取り扱いを一層容易にできる。
【００１８】
請求項６に係る発明の作業用テントは、
前記融通が、枢支連結部の連結軸と連結穴との隙間によって形成されたものであることを特徴としている。
ここでの隙間を設ける枢支連結部としては、前面側支柱用ロッドと建家側支柱用ロッドの上端側どうしを連結する枢支連結部だけに限らず、他の枢支連結部の隙間を考慮したものも含む。
【００１９】
（作用・効果）
請求項６に係る発明の作業用テントの構成によれば、ロッドどうしを揺動可能に連結する枢支連結部における連結軸と連結穴との隙間を利用して融通を形成し、その融通によって建家側支柱用ロッドの上端を建家側に変位することができる。
したがって、長穴で融通を形成する場合に比べて、特別な構成部品を不要にできる利点を有している。
【００２０】
請求項７に係る発明の作業用テントは、
前記融通が、前面側支柱用ロッドと建家側支柱用ロッドの上端側どうしを連結する枢支連結部に設けた長穴によって形成されたものであることを特徴としている。
【００２１】
（作用・効果）
請求項７に係る発明の作業用テントの構成によれば、長穴の長手方向の長さによって建家側支柱用ロッドの上端の変位量を設定することができる。
したがって、天幕の高さなどに応じた適切な変位量を得やすく、実用的である。
【００２２】
請求項８に係る発明の作業用テントは、
前記天幕に開閉可能な排気口を付設してあることを特徴としている。
【００２３】
（作用・効果）
請求項８に係る発明の作業用テントの構成によれば、屋外機器によってはメンテナンス作業において悪臭ガスや有害ガスを発生する場合があるが、それらのガスを排出でき、作業者がメンテナンス作業を行う上での作業環境を向上できる。
【００２４】
請求項９に係る発明の作業用テントは、
前記天幕に、ファスナーまたはボタンによって開閉可能な出入口を設けてあることを特徴としている。
【００２５】
（作用・効果）
請求項９に係る発明の作業用テントの構成によれば、出入口を閉じることで、屋外機器に雨雪に起因して水滴がかかることを良好に防止できるとともに風雨や寒さから作業者を守ることができ、また、作業時に発生する音が外部に漏れることを低減することができ、作業効率および作業環境を向上できる。
【００２６】
請求項１０に係る発明の作業用テントは、
前記屋外機器が家庭用燃料電池であることを特徴としている。
【００２７】
（作用・効果）
請求項１０に係る発明の作業用テントの構成によれば、家庭用燃料電池では、機器自体が電子基盤で構成され、また、メンテナンス機器においても電子部品が使用されており、それらを雨雪の水滴から守ることができ、極めて有用である。
【００２８】
請求項１１に係る発明の作業用テントは、
前記メンテナンス空間内に灯光器、ＣＯ警報機、可燃ガス警報機のうちの少なくともひとつを備えてあることを特徴としている。
【００２９】
（作用・効果）
請求項１１に係る発明の作業用テントの構成によれば、灯光器を備えることにより、天幕が遮光性材料の場合の昼間のメンテナンス作業や夜間のメンテナンス作業を良好に行うことができ、作業効率を向上できる。
また、ＣＯ警報機や可燃ガス警報機を備えることにより、メンテナンス作業を安全に行うことができ、作業環境を向上できる。
【図面の簡単な説明】
【００３０】
【図１】本発明に係る作業用テントの実施例１を示す全体側面図であり、（ａ）は天幕を除いた状態を、（ｂ）は天幕を保持させた使用状態をそれぞれ示している。
【図２】本発明に係る作業用テントの実施例１を示す全体正面図であり、（ａ）は天幕を除いた状態を、（ｂ）は天幕を保持させた使用状態をそれぞれ示している。
【図３】実施例１の第３の枢支連結部の断面図である。
【図４】本発明に係る作業用テントの実施例２を示す全体側面図である。
【発明を実施するための形態】
【００３１】
次に、本発明の実施例を図面に基づいて詳細に説明する。
【実施例１】
【００３２】
図１は、本発明に係る作業用テントの実施例１を示す全体側面図であり、（ａ）は天幕を除いた状態を、（ｂ）は天幕を保持させた使用状態をそれぞれ示している。また、図２は、本発明に係る作業用テントの実施例１を示す全体正面図であり、（ａ）は天幕を除いた状態を、（ｂ）は天幕を保持させた使用状態をそれぞれ示している。
【００３３】
一対の天幕保持部材１，１が５本の水平連結ロッド２を介して連結分離自在に連結されるとともに、天幕保持部材１，１に天幕３が保持され、建家４に近接して設置された屋外機器としての燃料電池５を覆うとともに燃料電池５に対するメンテナンス空間Ｓを形成する作業用テントが構成されている。水平連結ロッド２は、２本の連結ロッド２ａを直管状継手２ｂを介して連結して構成されている。
【００３４】
天幕保持部材１が、図１の（ａ）に示すように、対地支持する対地支持用ロッド６と、対地支持用ロッド６の建家側の端部に連結分離可能に連結された一体の部材としての第１の建家側支柱用ロッド７と、第１の建家側支柱用ロッド７に建家４の壁面と平行な水平方向の軸芯周りで揺動可能に連結した第２の建家側支柱用ロッド８と、対地支持用ロッド６の建家４から遠い前面側の端部に建家４の壁面と平行な水平方向の軸芯周りで揺動可能に連結した前面側支柱用ロッド９とから構成されている。
【００３５】
対地支持用ロッド６に一体的に第１の継手１０が取り付けられ、その第１の継手１０に第１の建家側支柱用ロッド７を差込み、抜け止めピンで抜け止めすることにより、対地支持用ロッド６と第１の建家側支柱用ロッド７とが一体的に連結されている。また、第１の継手１０には、連結ロッド２ａが抜け止めピンを介して一体的に連結されている。
【００３６】
第１の建家側支柱用ロッド７の上端に一体的に第２の継手１１が取り付けられ、その第２の継手１１に形成した第１の枢支連結部１２を介して建家４の壁面と平行な水平方向の軸芯周りで揺動可能に第２の建家側支柱用ロッド８が連結されている。上記第２の継手１１にも、連結ロッド２ａが前述同様に抜け止めピンを介して一体的に連結されている。
【００３７】
前面側支柱用ロッド９が、第１の前面側支柱用ロッド９ａに一体的に取り付けた第３の継手９ｂに第２の前面側支柱用ロッド９ｃを連結して構成されている。図示しないが、差込みにくさを回避するために、第３の継手９ｂの下側に切欠が形成されていて、この切欠を通じて第２の前面側支柱用ロッド９ｃの先端側を第３の継手９ｂに嵌入した状態で抜け止めピンを介して一体的に連結されている。上記第３の継手９ｂにも、連結ロッド２ａが前述同様に抜け止めピンを介して一体的に連結されている。
【００３８】
対地支持用ロッド６の建家４から遠い前面側の端部に一体的に第４の継手１３が取り付けられ、その第４の継手１３に形成した第２の枢支連結部１４を介して建家４の壁面と平行な水平方向の軸芯周りで揺動可能に第１の前面側支柱用ロッド９ａの下端が連結されている。上記第４の継手１３にも、連結ロッド２ａが前述同様に抜け止めピンを介して一体的に連結されている。
【００３９】
第２の建家側支柱用ロッド８の上端に一体的に第５の継手１５が取り付けられ、その第５の継手１３に形成した第３の枢支連結部１６を介して建家４の壁面と平行な水平方向の軸芯周りで揺動可能に第２の前面側支柱用ロッド９ｃの上端が連結されている。上記第５の継手１５にも、連結ロッド２ａが前述同様に抜け止めピンを介して一体的に連結されている。
【００４０】
第１の建家側支柱用ロッド７と一体の第２の継手１１と第３の継手９ｂとにわたって弾性材としての引張りスプリング１７が掛け外し自在に取り付けられ、その取り付け状態での引張りスプリング１７の引張り力により、第２の建家側支柱用ロッド８の上端側を建家４の壁面側に変位させる押圧力を付与するようになっている。この弾性材としては、ゴム紐なども適用できる。
【００４１】
図３の第３の枢支連結部の断面図に示すように、第３の枢支連結部１６において、第５の継手１５と一体の連結軸１８と、第２の前面側支柱用ロッド９ｃに形成された連結穴１９との間に隙間Ｓが形成されている。第１および第２の枢支連結部１２，１４それぞれにも同様の隙間が形成され、それら隙間Ｓの総和によって、第２の建家側支柱用ロッド８の上端側の建家４の壁面側への変位を許容する融通が構成されている。図中２０は、対地支持用ロッド６、および、最下端の水平連結ロッド２を対地的に固定するペグを示している。
【００４２】
天幕３は、軽量防音シートなどの難燃性、遮光性および制音性を有する材質のシート材で形成され、その内面に、５０ｃｍなど所定間隔で留め紐が付設されている。図１の（ｂ）に示すように、天幕３の横側部分に、ファスナーなどで開閉自在な出入口２１が形成されている。また、傾斜面部分には、排気口２２が形成されるとともに、その排気口２２を開閉自在に閉じる閉塞幕２３が付設されている。２４は、閉塞幕２３を開閉する排気口開閉ロープを示している。
水平連結ロッド２には、持ち運び容易なポータブルＣＯ警報機（酸欠警報機）２５が着脱自在に取り付けられている。また、水平連結ロッド２および第１の前面側支柱用ロッド９ａには、灯光器２６が着脱自在に取り付けられている。更に、可燃ガス警報機を着脱自在に取り付けるようにしても良い。
【００４３】
実施例１の構成によれば、作業用テントを組み立てた後、最終的に第２の継手１１と第３の継手９ｂとにわたって引張りスプリング１７を取り付け、第２の建家側支柱用ロッド８の上端側を建家４の壁面側に変位させる押圧力を付与することにより、上述した第１、第２および第３の枢支連結部１２，１４，１６の隙間Ｓによる融通があるために、第２の建家側支柱用ロッド８の上端側を建家４の壁面側に揺動変位させ、天幕３を建家４の壁面に押し付け、建家４との間に隙間の無い状態で天幕を張ることができる。
【００４４】
また、この実施例１によれば、第１の建家側支柱用ロッド７と第２の建家側支柱用ロッド８と第２の前面側支柱用ロッド９ｃの３本を折り畳むことができ、一方、第１の前面側支柱用ロッド９ａと対地支持用ロッド６の２本を折り畳むことができる。これにより、第１の建家側支柱用ロッド７を第１の継手１０に、そして、第２の前面側支柱用ロッド９ｃを第３の継手９ｂにそれぞれ連結することで天幕保持部材１を構成できる。
したがって、組み立てる場合には、先ず、左右の天幕保持部材１，１の対地支持用ロッド６をペグなどで対地支持させ、第１の継手１０に第１の建家側支柱用ロッド７を連結するとともに左右の天幕保持部材１，１を水平連結ロッド２ａおよび直管状継手２ｂを介して連結し、最下部の水平連結ロッド２ａをペグ２０などで固定する。
次いで、第２の建家側支柱用ロッド８を下方に揺動させた状態で、天幕３を被せるとともに留め紐で固定し、その後に、天幕３を被せた状態で第２の建家側支柱用ロッド８とともに第２の前面側支柱用ロッド９ｃを上方に揺動させ、第２の前面側支柱用ロッド９ｃを第３の継手９ｂに連結する。最後に、引張りスプリング１７を取り付けることで、前述したように、建家４との間に隙間の無い状態で天幕を張ることができる。ペグ２０が使用できない場所の場合であれば、水を入れた重しや土嚢を用いて固定するとか、あるいは、燃料電池５を固定しているアンカーボルトを利用して固定用ロープなどにより固定するようにすれば良い。
【実施例２】
【００４５】
図４は、本発明に係る作業用テントの実施例２を示す全体側面図であり、実施例１と異なるところは次の通りである。
すなわち、建家側支柱用ロッド４１が、第１の建家側支柱用ロッド４１ａに一体的に取り付けた継手４１ｂに第２の建家側支柱用ロッド４１ｃを連結して構成されている。
対地支持用ロッド６の建家４側の端部に一体的に第６の継手４２が取り付けられ、その第６の継手４２に形成した第４の枢支連結部４３を介して建家４の壁面と平行な水平方向の軸芯周りで揺動可能に第１の建家側支柱用ロッド４１ａの下端が連結されている。上記第６の継手４２にも、連結ロッド２ａが前述同様に抜け止めピンを介して一体的に連結されている。
【００４６】
第２の建家側支柱用ロッド４１ｃの上端側に第７の継手４４が取り付けられ、その第７の継手４４に形成した第５の枢支連結部４５を介して建家４の壁面と平行な水平方向の軸芯周りで揺動可能に第２の前面側支柱用ロッド９ｃが連結されている。上記第７の継手４４にも、連結ロッド２ａが前述同様に抜け止めピンを介して一体的に連結されている。
【００４７】
第５の枢支連結部４５には融通としての長穴４６が形成され、第２の前面側支柱用ロッド９ｃに一体の支軸４７が長穴４６に挿入されて連結されている。
対地支持用ロッド６と第１の前面側支柱用ロッド９ａとにわたって弾性材としての引張りスプリング４８が掛け外し自在に取り付けられ、その取り付け状態での引張りスプリング４８の引張り力により、建家側支柱用ロッド４１の上端側を建家４の壁面側に変位させる押圧力を付与するようになっている。他の構成は実施例１と同じであり、同一図番を付すことによりその説明は省略する。
【００４８】
実施例２の構成によれば、作業用テントを組み立てた後、最終的に対地支持用ロッド６と第１の前面側支柱用ロッド９ａとにわたって引張りスプリング４８を取り付け、建家側支柱用ロッド４１の上端側を建家４の壁面側に変位させる押圧力を付与することにより、長穴４６によって建家側支柱用ロッド４１の上端側を建家４の壁面側に揺動変位させ、天幕３を建家４の壁面押し付け、建家４との間に隙間の無い状態で天幕を張ることができる。
【００４９】
また、この実施例２によれば、第２の建家側支柱用ロッド４１ｃと第２の前面側支柱用ロッド９ｃの２本を折り畳むことができ、一方、第１の建家側支柱用ロッド４１ａと第１の前面側支柱用ロッド９ａと対地支持用ロッド６の３本を折り畳むことができる。これにより、第２の建家側支柱用ロッド４１ｃを継手４１ｂに、そして、第２の前面側支柱用ロッド９ｃを第３の継手９ｂにそれぞれ連結することで天幕保持部材１を構成できる。
したがって、組み立てる場合には、先ず、左右の天幕保持部材１，１の対地支持用ロッド６をペグ２０などで対地支持させ、継手４１ｂに第２の建家側支柱用ロッド４１ｃを連結するとともに左右の天幕保持部材１，１を水平連結ロッド２ａおよび直管状継手２ｂを介して連結し、最下部の水平連結ロッド２ａをペグなどで固定する。
次いで、建家側支柱用ロッド４１を下方に揺動させた状態で、天幕３を被せるとともに留め紐で固定し、その後に、天幕３を被せた状態で建家側支柱用ロッド４１とともに第２の前面側支柱用ロッド９ｃを上方に揺動させ、第２の前面側支柱用ロッド９ｃを第３の継手９ｂに連結する。最後に、引張りスプリング４８を取り付けることで、前述したように、建家４との間に隙間の無い状態で天幕３を張ることができる。
【００５０】
各ロッドとしては、鉄、鋼鉄、カーボンファイバー、アルミ合金など各種材質のものが適用できるが、比強度が高くて錆びないものが好ましい。
【００５１】
本発明としては、建家側支柱用ロッドおよび前面側支柱用ロッドそれぞれを１本のロッドで構成し、その上端どうしを枢支連結部を介して建家４の壁面と平行な水平方向の軸芯周りで揺動可能に連結し、対地支持用ロッド６の両端それぞれに建家４の壁面と平行な水平方向の軸芯周りで揺動可能に継手部材を連結しておき、その継手部材それぞれに建家側支柱用ロッドおよび前面側支柱用ロッドそれぞれを差込みと抜け止めによって連結分離自在に連結するように構成するものでも良い。
【００５２】
また、前面側支柱用ロッド９として、第１の前面側支柱用ロッド９ａと第２の前面側支柱用ロッド９ｃとを枢支連結部を介して建家４の壁面と平行な水平方向の軸芯周りで揺動可能に連結し、第１の前面側支柱用ロッド９ａを対地支持用ロッド６を差込みと抜け止めによって連結分離自在に連結するように構成するものでも良い。更には、建家側支柱用ロッドを１本の部材あるいは２本の部材を一体連結したもので構成し、その建家側支柱用ロッドを対地支持用ロッド６に建家４の壁面と平行な水平方向の軸芯周りで揺動可能に連結し、対地支持用ロッド６と、一体に連結した第１および第２の前面側支柱用ロッド９ａ，９ｃと建家側支柱用ロッドとで不等辺４連リンク機構を構成し、各枢支連結部での隙間で形成した融通により建家側支柱用ロッドの上端を建家４の壁面側に変位させるように構成するものでも良い。
【符号の説明】
【００５３】
１…天幕保持部材
２…水平連結ロッド
３…天幕
４…建家
５…燃料電池（屋外機器）
６…対地支持用ロッド
７…第１の建家側支柱用ロッド（一体の部材）
８…第２の建家側支柱用ロッド
９…前面側支柱用ロッド
１２…第１の枢支連結部
１４…第２の枢支連結部
１６…第３の枢支連結部
１７…引張りスプリング（弾性材）
１８…連結軸
１９…連結穴
２１…出入口
２２…排気口
２５…ＣＯ警報機
２６…灯光器
４１…建家側支柱用ロッド
４１ａ…第１の建家側支柱用ロッド
４１ｃ…第２の建家側支柱用ロッド
４５…第５の枢支連結部
４６…長穴（融通）
４８…引張りスプリング（弾性材）
Ｓ…隙間（融通）
【図１】
2013189787.tif 000003
【図２】
2013189787.tif 000004
【図３】
2013189787.tif 000005
【図４】
2013189787.tif 000006